(57)【要約】  本発明の支持体（１０）は、相対して配列されたセグメント（１５）の少なくとも１つの列（１３）を有し、前記列（１３）は、支持体（１０）の一方の端部（２１ａ）から支持体（１０）の反対側の端部（２１ｂ）に向かって延在することが好ましい。好適な態様においては、列（１３）には、少なくとも１つの張力要素（１４）が貫通して延在しており、この張力要素（１４）は、引張り棒との称せられ、且つ、列（１３）の端部（２５ａ、ｂ）に固定され、列（１３）のセグメント（１５）を強固に結合するためにプリテンションが加えられている。ここで、隣接するセグメント（１５）は、張力要素（１４）によって端部側（２４）で強固に結合されている。端部側（２４）の間には、板金のような１つ以上の要素を配置することができる。列（１３）の隣接するセグメント（１５）は、張力要素にプリテンションをかけることにより結合されるから、列（１３）のセグメント（１５）を必要としない。したがって、据え付けられた装置（３３、３４）の支持体（１０）を使用中においても、列（１３）の隣り合う２つのセグメント（１５）は、溶接やねじで長手方向に互いに一体化結合されることがない。それぞれのセグメント（１５）を使用場所に運び、使用場所において張力要素（１４）によって結合することにより、支持体（１０）が提供される。
2020508947.tif 000002
【特許請求の範囲】
【請求項１】
少なくとも２つの連続して配置されたセグメント（１５）の1つの列（１３）を有する支持体（１０）であって、
列（１３）のセグメント（１５）は、支持体（１０）の内側に延在する張力要素（１４）によって相互に支持され、
張力要素（１４）は、列（１３）のセグメント（１５）を相互に固定するために、セグメント（１５）の列（１３）の対向する端部（２５ａ、ｂ）に固定される
支持体（１０）。
【請求項２】
前記列（１３）の２つの隣接するセグメント（１５）の間には、隣接するセグメント（１５）を互いに接続するための一体的に結合された接続、特に溶接接続及び／またはねじ接続がない、請求項１に記載の支持体（１０）。
【請求項３】
前記張力要素（１４）は、前記列（１３）を貫通して延在する、請求項１または２に記載の支持体（１０）。
【請求項４】
セグメント（１５）の少なくとも１つの列（１３）は、支持体（１０）の１つの端部（２１ａ）から支持体（１０）の反対側の端部（２１ｂ）まで延在する、請求項１〜３のいずれか１項に記載の支持体（１０）。
【請求項５】
張力要素（１４）は、セグメント（１５）の列（１３）の外側において、列（１３）の一端（２５）または列（１３）の両端（２５ａ、ｂ）に固定される、請求項１〜４のいずれか１項に記載の支持体（１０）。
【請求項６】
前記セグメント（１５）の長さ（Ｌ）は、最大１．２メートルである、請求項１〜５のいずれか１項に記載の支持体（１０）。
【請求項７】
前記張力要素（１４）は、少なくとも２つの張力要素セグメントから構成される、請求項１〜６のいずれか１項に記載の支持体（１０）。
【請求項８】
セグメント（１５）は、底部（１５ａ）、蓋部（１５ｃ）及び列方向（Ｒ）に延在する2つの側壁（１５ｂ）を有する、請求項１〜７のいずれか１項に記載の支持体（１０）。
【請求項９】
前記支持体（１０）は、トラスガーダである、請求項１〜８のいずれか１項に記載の支持体（１０）。
【請求項１０】
前記支持体（１０）は、前記支持体（１０）の下部弦材（１１）においてセグメント（１５）が少なくとも１つの列（１３）を含み、且つ／または前記支持体（１０）の上部弦材（１２）においてセグメント（１５）が少なくとも１つの列（１３）を含む、請求項９に記載の支持体（１０）。
【請求項１１】
前記下部弦材（１１）と前記上部弦材（１２）との間に、垂直に対して傾斜して延在するトラス要素（１８）及び／または垂直なトラス要素（１８）が配置され、トラス要素（１８）の少なくとも１つの端部セクション（２０）が隣接するセグメント（１５）の間に保持される、請求項９または１０に記載の支持体（１０）。
【請求項１２】
請求項１〜１１のいずれか１項に記載の少なくとも１つの支持体（１０）を有する装置（３３、３４）。
【請求項１３】
前記装置（３３、３４）は、支持体（１０）の一端（２１ａ、ｂ）に配置された少なくとも１つのキャリッジ（３５）を含み、張力要素（１４）が前記キャリッジ（３５）に固定され、これによって前記キャリッジ（３５）が、列（１３）のセグメント（１５）に対して固定され、張力要素（１４）によって支持体（１０）に固定されている請求項１２に記載の装置（３３、３４）。
【請求項１４】
請求項１〜１１のいずれか１項に記載の支持体（１０）を提供する方法であって、
・セグメント（１５）及び張力要素（１４）を使用される場所の建設現場に設けるステップと、
・設けられたセグメント（１５）を列（１３）を形成するように配置するステップと、
・列（１３）に配置されたセグメント（１５）を、張力要素（１４）によって相互に固定するステップと、
を含む方法。
【発明の詳細な説明】
【技術分野】
【０００１】
本発明は、支持体、支持体を含む装置、及び現場において支持体を組み立てる方法に関する。
【背景技術】
【０００２】
例えば、橋梁クレーン用の橋桁として使用されるような支持体は、原則として、製造現場で溶接され、次いで、寸法に応じて、重量物輸送手段によって現場に運ばれなければならない。そのような輸送組織は高価である。そのような輸送のためのコストは、かなりのものとなり得る。
【発明の概要】
【発明が解決しようとする課題】
【０００３】
本発明の目的は、支持体の改良された概念を提示することにある。
【課題を解決するための手段】
【０００４】
この目的は、請求項１による支持体と、請求項１２による本発明の支持体を含む装置と、請求項１４による支持体を組み立てる方法とによって達成される。
【０００５】
本発明の支持体は、例えば、クレーン用の支持体、例えば、ブリッジクレーン、ポータルクレーン、またはセミポータルクレーンであってよい。例えば、支持体は、橋桁の作業空間に掛け渡されたブリッジクレーンの橋桁であってもよい。あるいは、支持体は、例えば、橋または足場のための支持体であってもよい。支持体は、少なくとも２つの連続して配置されたセグメントの列を含む。例えば、列は、３つ以上の連続的に配置されたセグメントを含むことができる。好ましくは、セグメントは、支持体の長手方向に連続して配置される。列のセグメントは、支持体の内側に延在する張力要素によって互いに対して張力がかけられる。列のセグメントに互いに対して張力をかけるために、張力要素はセグメントの列の両端に固定される。
【０００６】
支持体は、個々のセグメントから構成されているので、現場における労力を最小限に抑えて、個々のセグメントの状態で搬送することができる。重量物輸送手段は必要ない。支持体の個々の部品は、組み立てられた支持体よりも容易に、例えば、山岳救助小屋またはスキー小屋のようなアクセスが困難な場所にさえも、運搬される。
【０００７】
張力要素は、特に好ましくは、列のセグメントを貫通して延在する。好ましくは、張力要素は、少なくとも２つのセグメントと同じ長さである。好ましくは、張力要素は、セグメントの列を越えて列の少なくとも一端に突出する。特に好ましくは、張力要素は、セグメントの列を越えてセグメントの列を通って両端で突出する。好ましくは、張力要素は、列の最も外側のセグメントの最も外側の端部上のその対向する端部上に固定される。好ましくは、張力要素は、列方向に沿って延在するセグメントの列の外側でその両端に固定される。例えば、張力要素は、等しい長さのセグメントの列の外側でその両端に固定される。
【０００８】
張力要素はまた、クランプ部材（Spannglied）または引張り棒と称することができる。テンションロッド、テンションベルト、テンションロープ、テンションケーブル、テンションワイヤ、またはテンションストランド、例えばプレストレス鋼のような張力要素にプリテンションを加えることが可能である。
【０００９】
支持体は、２列以上のセグメントを含み得る。２つの列は、互いに隣り合って、または一方が他方の上方に延在し得る。特に、２つの列は、互いに平行に延在し得る。好ましくは、セグメントの列が支持体の一端から支持体の反対端まで延在する。列のセグメントを互いに繋止するための張力要素は、支持体の一端から支持体の反対端まで延在するのが好ましい。列が支持体の一端から支持体の他端まで延在するとき、引張り棒は、支持体の一端から支持体の反対端まで延在する。あるいは、支持体は、例えば、支持体の長手方向に連続して配置された２つ以上の列を備えてもよい。
【００１０】
列のセグメントを相互に固定するために、少なくとも１つの追加の張力要素が支持体内に延在してもよい。例えば、２つ以上の張力要素が、セグメントの列を通って一方の端部から他方の端部まで延在してよい。好ましくは、張力要素は、互いに平行に延在する。追加の張力要素は、例えば、セグメントの列を通って垂直方向で見て同じ高さで張力要素に沿って延在し得る。支持体上の荷重に起因し、列に沿って作用する引張力は、列の１つまたは複数の張力要素によって吸収される。
【００１１】
列のセグメントを互いに押し付ける力は、好ましくは、専ら１つ以上の張力要素によって加えられる。隣接するセグメントが列の長手方向に共に押圧されるから、隣接するセグメントの隣接する端部の側におけるねじ接続は必ずしも必要ではなく、また、好ましくはこのようなねじ接続は存在しない。
【００１２】
列の２つの隣接するセグメント間の溶接接続のような、隣接するセグメントを互いに接続する一体的に結合された接続（Stoffschlussverbindungen）は、組み立てられた装置における支持体の動作使用中に引張応力下に置かれるから、このような材料接続は存在しないのが好ましい。
【００１３】
列と張力要素との間には、列の両端の固定位置の間に、列のセグメントと張力要素との間の任意の接続位置が設けられていないことが好ましく、それによって、接続位置の力を、ポジティブロック接続（Formschluss）、一体的に結合された接続（Stoffschluss）、及び／または摩擦ロック接続（Reibschluss）を介して列の向きにそって張力要素に伝達し得る。セグメントの列は、１つまたは複数の張力要素によって張力要素の長手方向に沿って前記列の端部に加えられた力によってのみ結合されることが好ましい。
【００１４】
支持体は、例えば装置の使用場所で特に容易に組み立てることができる。列のセグメント同士の接続は、好ましくは、セグメントの列を通って延在し、列の端部に固定される１つ以上の張力要素によって、セグメントを互いに対して補強することによってのみ生じる。張力を加えられる隣接するセグメントを接続するための隣接するセグメント間のネジによる接続、または隣接するセグメント間の溶接接続は、説明したように省略することができる。
【００１５】
列の隣接するセグメントは互いに正面で固定されるのであるが、隣接するセグメントは、互いに正面で直接接触してもよく、また、要素または要素のスタック、例えば、列方向に積み重ねられた１つ以上の板金が、隣接するセグメント間に配置されてもよい。列内の２つの隣接するセグメント間に配置された要素は、好ましくは、引張り棒のプリテンションにより隣接するセグメントを圧縮する力により、列の隣接するセグメント間でクランプされる。要素は、一対の隣接する要素の間、または隣接する一対よりも多いセグメントの間にクランプされてもよい。要素がクランプされる対は、セグメントの異なる行に属してよい。この追加の接続は、要素がその間にクランプされるセグメントに対して移動することを妨げるから、隣接するセグメントの１つまたは複数の対の間、または異なる列の間に、要素のクランプ接続とは別に、追加の接続はないのが好ましい。
【００１６】
支持体に最大荷重容量が指定される場合、荷重が支持体に、特に支持体の長手方向軸に対して横方向に、例えば垂直に加えられたとしても、最大荷重容量に対応する荷重下でセグメント間に隙間が開かないように、セグメントには予め互いに張力がかけられることが好ましい。その結果、隣接するセグメント間に広いギャップが開くことはない。
【００１７】
セグメントは、その最長寸法に沿って、列の長手方向範囲に沿って延在することが好ましい。したがって、列の長手方向範囲に沿ったセグメントのそれぞれの寸法（長さ）は、セグメントのそれぞれの幅及び／またはそれぞれの高さ（長さ範囲に対して横方向）よりも大きいことが好ましい。好ましくは、セグメントの長さは最大１．２メートルである。その結果、セグメントをユーロプールパレットで輸送することができる。
【００１８】
好ましくは、列は、同じ長さを有するセグメントから構成される。列が１つの支持端部から反対側の支持端部まで延在する場合、列のセグメントは、支持体の長さ適合のためにせいぜい１つ、２つまたは３つのセグメントを除いて、同じ長さを有することが好ましい。異なる長さの１つ、２つまたは３つのセグメントが使用される場合、異なる長さを有するセグメントは、例えば、列の一端に配置されてもよく、または異なる長さを有する2つのセグメントは、それぞれ、例えば、一端に配置されてもよい。
【００１９】
本発明の支持体が本質的に同じ長さを有するセグメントから構成される場合、支持体の製造コスト及びセグメントのメンテナンスのコストは、特に低くすることができる。
【００２０】
セグメントは、好ましくは鋼、例えば構造用鋼、またはアルミニウムからなる。
【００２１】
セグメントは、好ましくは底部と、蓋部と、好ましくは底部と蓋部との間で列方向に延在する２つの側壁とを有し、この場合、蓋部、底部及び側壁は、列の１つまたは複数の張力要素が延在し得る空間トラフを囲む。例えば、列の張力セグメントは、箱形セクション、例えば正方形または長方形の管で組み立てることができる。それ以外に、セグメントは、支持体に沿って延在するＵ形梁型セクションで作られてもよく、その場合、Ｕ形梁型セクションによって部分的に囲まれる空間は、平坦なセクションによって上向きまたは下向きに閉じられる。蓋部及び／または底部は、例えば、溶接またはねじ接続によって、側壁に接続することができる。
【００２２】
張力要素は、列にプリテンションによる力を伝達するために、ポジティブロック接続（formschluessig）及び／または摩擦ロック接続（reibschluessig）によって列の端部に固定されてもよい。好ましくは、張力要素のアンカー要素は、列の一端のために張力要素に固定され、それによって、列のセグメントを圧縮するために、プリテンションによる力をセグメントの列に伝達することができる。好ましくは、それぞれ１つのアンカー要素が、列のそれぞれ１つの端部に設けられる。セグメントの列の片側または両側のアンカー要素によって、例えば、１つまたはそれぞれ１つのポジティブロック接続を介して、力を列に伝達することが可能である。アンカー要素は、一方の端部で、張力要素にプリテンションをかけることにより、列の外側セグメントの一方の端部セクションでそれ自体を支持することができる。あるいは、張力要素は、例えば、端部セクションとアンカー要素との間にクランプされる１つの要素または要素のスタック上で、それ自体を支持することができる。張力要素は、少なくとも、外側セグメントの内側で1つのアンカー要素によってそれ自体を支持することができる。しかしながら、好ましくは、張力要素は、外側セグメントの外側に固定される。好ましくは、張力要素は、列の外側でそれ自体を支持する。好ましくは、セグメントの列は、それに応じて、支持位置の間に配置される。例えば、アンカー要素は、端部で外側セグメントの正面でそれ自体を支持することができ、またはアンカー要素は、アンカー要素と正面との間にクランプされた要素または要素のスタックでそれ自体を支持することができる。列の反対側の端部のためのアンカー要素は、上述したように、それ自体を支持することができる。特に好ましくは、両端に配置されたアンカー要素は、それぞれの端面とアンカー要素との間にそれぞれクランプされた１つの要素または要素のスタック上に、それぞれそれ自体を支持する。
【００２３】
張力要素は、張力要素の端部間で互いに締結される２つの張力要素セグメントから構成されてもよい。張力要素セグメントは、張力要素の長手方向に沿って延在する。張力要素セグメントの長さは、好ましくは、例えば前記長さに対して横方向の直径よりも少なくとも１０倍大きい。特に好ましくは、張力要素は、同じ長さを有する張力要素セグメントの最大で１つまたは２つの張力要素セグメントから組み立てられる。異なる長さを有する１つまたは複数の張力要素セグメントは、長さ補正として作用させてもよい。あるいは、張力要素の張力要素セグメントは、同じ長さを有する。このようにして、同一の張力要素セグメントを異なる長さを有する支持体に使用することができ、したがって、張力要素セグメントの製造及び利用の費用効果がより高くなる。２つの張力要素セグメントを接続するために、張力要素セグメント間に、一方及び／または他方の張力要素セグメントから分離された接続ピースを配置することが可能であり、その場合、接続ピースは、その端部にねじ切りされてもよく、そのようなねじ切りは、張力要素セグメントを互いに接続するために、張力要素セグメントの対応するねじ山と相互作用する。
【００２４】
支持体は箱桁であってもよい。しかしながら、特に好ましくは、トラスガーダである。トラスガーダは、固有重量が小さく、風荷重に対する感受性が最小である。本発明の支持体のセグメント化された構造設計、及び１つまたは複数の張力要素による列のセグメントの互いに対する固定により、トラスガーダは、比較的最小の労力で設置することができる。
【００２５】
本発明によれば、トラスガーダは、張力要素によって互いに補強された少なくとも１列のセグメントを含む。好ましくは、少なくとも１つのそのようなセグメントの列は、トラスガーダの下部弦材にあり、及び／または少なくとも１つのそのようなセグメントの列は、トラスガーダの上部弦材にある。例えば、下部弦材では、２つの平行なセグメントの列が配置され、且つ／または上部弦材では、２つの平行なセグメントの列が、それぞれ互いに隣接して配置される。例えば、セグメントの列当たり２つの張力要素が、列を通って下部弦材及び／または上部弦材に延在してよい。
【００２６】
セグメントに分割されたトラス桁の上部弦材とセグメントに分割された下部弦材との間には、トラス要素（支柱）の水平及び垂直に対して傾斜して延在するトラス要素（アバットメント）のセクションと、トラス要素（支柱）の垂直に延在するセクションとが配置されてもよい。しかしながら、好ましくは、トラスガーダは、下部弦材から上部弦材まで垂直に延在するトラス要素のセクションを必要としない。しかしながら、一実施形態では、支持体の長さを適合させるために、例えば、支持体の長さ適合セクションに、垂直に延在するトラス要素、例えば、板金を配置することができる。しかしながら、好ましくは、長さ適合セクションの外側に、垂直トラス要素、例えば、垂直に配置された板金が存在しない。当接部、及び、もしあれば、好ましくは、ポストも、板金部品である。アバットメント及び／またはポストは、好ましくは垂直方向に延在する端部セクションを有する。
【００２７】
列の端部に配置されたトラス要素の端部セクションは、それぞれのトラス要素が配置される端部の列の外側セグメントの間にそれぞれ配置することができ、外側セグメントに対して保持される。好ましくは、外側トラス要素の端部は、張力要素によってセグメントの列に張力をかけることによって、外側セグメントと外側部分との間にそれぞれクランプされる。その代わりに或いは追加的に、外側トラス要素の間に配置されたトラス要素の端部は、好ましくは、隣接するセグメントの間に保持される。特に好ましくは、外側トラス要素の間に配置されたトラス要素の端部は、張力要素によってセグメントの列に張力をかけることによって、隣接するセグメントの間にそれぞれクランプされる。特に好ましくは、外側ロッド間に配置されたロッドの端部は、セグメント間にクランプされることによってのみ保持される。したがって、クランプすることによって、好ましくは、力が端部セクションに加えられ、その結果、支持体が設置されるデバイスが、前記荷重の設計と一致する最大荷重で荷重を受ける場合であっても、端部セクションは、クランプ動作によって、隣接するセグメントに対して横方向、例えば垂直方向の移動が防止される。
【００２８】
本発明の少なくとも１つの支持体を備える本発明の装置は、クレーン、特にブリッジクレーン、ポータルクレーン、またはセミポータルクレーンであってもよい。あるいは、支持体は、例えば、足場または橋の支持体として使用されてもよい。装置は、道路または高速道路の車線上に交通標識または方向標識を取り付ける標識ガントリであってもよい。例えば、セグメントは、本発明の支持体の列の少なくとも２つまたは少なくとも３つのセグメントの連続的な配置が必要とされるほど十分に短くてもよく、その結果、連続的に配置されたセグメントは、一緒になって道路または高速道路のレーンにまたがる。装置内にセットされた支持体は、水平方向に延びることが好ましい。好ましくは、支持体は、装置（長手方向支持体）の長手方向に延在する。あるいは、本発明の支持体は、垂直に配置されてもよい。本発明の少なくとも１つの支持体を備える本発明の装置は、例えば、スタッカクレーンまたは回転タワークレーンであってもよく、それぞれが、本発明の少なくとも１つの垂直に配置された支持体を備えるマストを潜在的に備える。
【００２９】
装置内に支持体を配置するために、装置は、例えば、少なくとも１つの接続要素を備えることができる。接続要素は、セグメントの列の長手延在方向に対して横方向に、特に垂直に配置することができ、支持体の一端に配置することができる。好ましい実施形態では、好ましくは、支持体の両端に２つの接続要素が配置され、その場合、少なくとも１つのセグメントの行が、好ましくは、１つの接続要素から他の接続要素に延びる。セグメントの列の長手方向範囲に対して横方向に、特に垂直に延在する接続要素は、例えば、キャリッジであってもよい。このようなキャリッジは、例えば、ブリッジクレーンのブリッジ支持体の端部に配置される。好ましくは、張力要素は、端部に配置された接続要素のセクション上のセグメントの行の少なくとも１つの端部に固定され、列のセグメントを互いに、かつ接続要素に対して装着するために、張力要素によって張力が加えられる。例えば、装置が、支持体の一端に配置されたキャリッジを備える場合、キャリッジを列のセグメントに対して引っ張ることによって、キャリッジを張力要素によって支持体に取り付けるために、張力要素をキャリッジに固定することができる。１つまたは複数の接続要素が、それぞれセグメントの列の一端に押圧される場合、前記接続要素は、単純な方法で支持体に固定される。接続要素と、張力要素によって前記接続要素に対して張力がかけられた列の外側隣接セグメントとの間で、１つ以上の追加要素をクランプしてもよく、また追加要素をクランプしなくてもよい。例えば、支持体がトラスガーダである場合、接続要素と外側セグメントとの間にトラス要素の端部をクランプすることができる。補強による設備の代替または追加として、支持体は、張力要素によって接続要素に対して支持され、前記支持体の一端または両端において、前記支持体は、例えばねじ接続によって接続要素に固定されてもよい。支持体を接続要素に取り付ける方法とは無関係に、本発明のトラス桁は、例えば、下部弦材及び／または上部弦材の端部に、接続要素に取り付けることができる。
【００３０】
セグメントを現場で個別に利用可能とし、現場においてはじめて相互に配置し、補強さすることにより、支持体が現場で利用可能とされる場合、重量物輸送または特殊輸送の構成及び費用が省略される。
【００３１】
支持体を利用可能にするために、セグメントは、１つまたはいくつかの列に配置される。これは、隣接するセグメントを、セグメントの列の長手方向延在方向に対して横断する方向、例えば垂直な所望の位置に、場合によってはさらに長手方向延在方向に、事前に固定する位置決め補助要素を使用することによって達成することができる。しかしながら、位置決め補助要素は、支持体に支持体の最大荷重容量に対応する荷重が負荷されたとき、または支持体を含む装置に装置が最大限に設計された荷重が負荷されたときに、２つの隣接する要素の接続を確実にするのには適当でないことが好ましい。位置決め補助要素は、列内のセグメントの位置決め及び配置のみを補助することができる。列内の１つまたは複数の張力要素にプリテンションを付与することにより、列のセグメントは、互いに固定される。張力要素の助けを借りて、列の端部からセグメントの列に、張力要素が長手方向に延在する方向に力が加えられて、セグメントが互いに押圧される。支持体が設計された最大荷重が支持体に加えられた場合であっても、１つまたは複数の張力要素の長手方向に張力が加えられたときに、列のセグメントと位置決め補助要素との接続部に応力が加わらないように、列の１つまたは複数の張力要素のプリテンションは十分に高いことが好ましい。
【００３２】
列の１つまたは複数の張力要素のプリテンションは、好ましくは、支持体が設計された最大荷重で列のセグメントが荷重を受けている場合であっても、１つまたは複数の張力要素によってセグメントに張力を加えることによって、少なくとも１つの隣接するセグメントが列の長手方向に、かつ列の隣接するセグメントに対して横方向に、例えば垂直に移動することが防止されるように十分に高く選択される。２つの隣接するセグメント間に追加の接続手段が存在しないのが好ましい。好ましくは、２つの隣接するセグメントの隣接する端部には隣接するセグメントを接続するためのねじ接続がない。したがって、これに代えて、またはこれに加えて、隣接するセグメントの接続のための張力要素の長手方向に負荷が掛けられる溶接接続部は、２つの隣接するセグメントの間には存在しない。
【００３３】
列のセグメントが、摩擦係止接続を形成するために張力要素によって互いに対して押圧されるとき、相互に隣接するセグメントが、隣接するセグメントの長手方向範囲に対して横断する方向、例えば垂直方向、特に垂直方向に移動するのを防止するためには、場合によっては低摩擦係数では十分でない可能性がある。したがって、一実施形態では、隣接するセグメントの隣接する端部上に、例えば鋼、特に構造用鋼またはアルミニウムのポジティブロック要素を配置することが可能であり、その場合、この配置は、隣接するセグメント間にポジティブロック接続を形成するように配置され、隣接するセグメントが、セグメントの長手方向に対して横方向、好ましくは垂直に相互に移動するのを防止する。例えば、隣接するセグメントの隣接する端部において、ポジティブロック要素は、例えば、隣接するセグメントに、またはセグメントの隣接する端部に差し込まれ、ポジティブロック要素に差し込まれてもよい。
【００３４】
例示的な実施形態では、位置決め補助要素は、最初に、支持体の組み立てを容易にするように作用し、組み立てられた支持体内では、１つまたは複数の張力要素によって結合されているにもかかわらず、隣接するセグメントが相互にずれるのに対抗するポジティブロック要素として作用する。
【００３５】
本発明の支持体及び本発明の方法のさらなる有利な実施形態は、従属請求項、以下の説明、及び図面の主題である。
【図面の簡単な説明】
【００３６】
模式的に示す
【図１】トラス構造における、本発明の支持体の例示的な実施形態を通る長手方向断面。
【図２】図１による例示的な実施形態の断面図である。
【図３】本発明のトラス構造である支持体を備えたブリッジクレーンのクレーンブリッジの例示的な実施形態である。
【図４】本発明の支持体を含むブリッジクレーンの高度に概略的な斜視図である。
【図５】本発明の支持体のさらなる例示的な実施形態であって長手方向に設けられた選択的部材を有するものの長手方向断面である。
【図６】本発明の支持体であって、長手方向に設けられた選択的部材を有するものを通る長手方向断面である。
【図７】本発明の支持体のさらなる例示的な実施形態の長手方向断面図である。
【図８】ポジティブロック要素の例示的な実施形態の長手方向断面である。
【発明を実施するための形態】
【００３７】
図１は、本発明の支持体１０の例示的な実施形態の縦断面図を示す。図２は、交差線Ａ−Ａ（図１の矢印Ｐの方向から見た図）に沿った、図１による支持体１０の断面図である。本発明の支持体１０は、図１及び図２に示されるようなトラス桁支持体１０であってもよく、その場合、支持体１０は、図１及び図２の例示的な実施形態によると、好ましくは、列１３内の少なくとも1つの張力要素１４によって互いに対して補強される列１３内のセグメント１５を有する、セグメント化された構造設計の下部弦材１１及び／または上部弦材１２を備える。トラスガーダ設計の支持体１０は、例えば、水平な上部弦材１２と水平な下部弦材１１とを備えてよい。図１及び図２に示すトラス桁支持体１０の外形によれば、これは台形支持体である。しかしながら、本発明の支持体１０は、替わりに異なる枠組み形態を有してもよい。トラスガーダ設計の代替として、支持体１０は、例えば、箱形セグメントの列を有する箱形ガーダ（図示せず）として構成することができ、箱形セグメントの上側は支持体の上部弦材を形成することができ、下側は支持体の下部弦材を形成することができる。
【００３８】
図１及び図２に示す本発明のトラスガーダ支持体１０は、下部弦材１１及び上部弦材１２を有し、各弦材はセグメント１５の列１３を有する。あるいは、下部弦材１１及び／または上部弦材１２には、互いに隣接する１つ以上の列１３があり、この場合、２つの列１３が下部弦材１１にある場合、及び／または上部弦材１２に２つの列１３がある場合、特に好ましい。好ましくは、別の列１３は、同じ下部弦材１１または上部弦材１２の少なくとも１つの列１３に沿って下部弦材１１及び／または上部弦材１２に延在し、特に好ましくは、垂直方向に対して同じ高さで延在する。下部弦材１１の１つまたは複数の列１３は、好ましくは、図示のように、下部弦材１１の一端１６ａから下部弦材の長手方向に反対側の端１６ｂに達する。上部弦材１２の１つまたは複数の列１３は、好ましくは、上部弦材１２の一端１７ａから上部弦材１２の長手方向反対側の端１７ｂまで延在する。
【００３９】
図示された支持体１０は、下部弦材１１と上部弦材１２との間で水平Ｈ及び垂直Ｖに対して傾斜したトラス要素セクション１９を有するトラス要素１８を備え、前記セクションはまた、アバットメントとも呼ばれる。図示のトラス構造の支持体１０は、ポストとも呼ばれる垂直ロッドを必要としない。替わりに、トラス構造の支持体１０は、ポストを有してもよい。トラス要素１８は、実施例のように垂直方向Ｖに延在する端部セクション２０を有する。
【００４０】
支持体１０の一方の端部２１ａから支持体１０の反対側の端部２１ｂまで延在する下部弦材１１内のセグメント１５の列１３は、図示の例示的な実施形態では、３つの連続して配置されたセグメント１５を有する。２つの隣接するセグメント１５の間には、隣接するセグメント１５が互いに押圧されるように、列１３に沿って連続的に配置されたトラス要素１８の２つの端部セクション２０を有する１つのスタック２２がそれぞれクランプされる。
【００４１】
図示した例示的な実施形態の上部弦材１２は、２つの連続的に配置されたセグメント１５の列１３を有し、隣接するセグメント１５の間には、隣接するセグメント１５が互いに押し付けられることで、列１３に沿って連続的に配置されたトラス要素１８の２つの端部セクション２０を有する１つのスタック２２がそれぞれクランプされる。
【００４２】
下部弦材１１の端部１６ａ、ｂには、末端カバー要素２３が１つずつ配置されている。末端カバー要素２３と下部弦材１１の列１３の外側のセグメント１５の端部側２４との間の各端部１６ａ、ｂには、隣接するセグメント１５が互いに押圧されるように、外側のトラス要素１８の端部セクション２０がクランプされている。
【００４３】
同様に、上部弦材１２の端部１７ａ、ｂには、それぞれ１つの末端カバー要素２３が配置されている。末端カバー要素２３と上部弦材１２の列１３の外側セグメント１５の端部側２４との間の各端部1７ａ、ｂには、末端カバー要素２３が外側セグメント２４の端部側２４に対して押圧されるように外側のトラス要素の端部セクション２０がクランプされている。
【００４４】
本発明によれば、端部セクションをクランプするためのクランプ力は、少なくとも１つのプリテンションが付与された張力付与要素１４によって、列１３の末端カバー要素２３及びセグメント１５を圧縮することによって加えられる。図１及び図２に示す例示的な実施形態では、それぞれ２つの張力要素１４は、下部弦材１１及び上部弦材１２のセグメント１５の列を通って互いに平行に延びる。図１の表示では、列の張力要素１４が同じ高さに延びているので、それぞれ１つの張力要素１４が他の張力要素によって覆い隠されている。図２の図では、平行な張力要素１４が、例示的な実施形態の断面図で示されている。列１３のセグメント１５を互いに押圧するための２つの張力要素１４の代わりに、列１３のセグメント１５を貫通して列１３のセグメント１５を互いに押圧する１つの張力要素１４または２つよりも多い張力要素１４を少なくとも１つの列１３に設けてもよい。
【００４５】
１つの張力要素１４に関する以下の説明は、特に断らない限り、支持体１０内に配置された列１３の全ての張力要素１４に当てはまる：図１及び２による図示された例示的な実施形態では、張力要素１４は、セグメント１５の列１３の端部２５ａ、ｂを越えてセグメント１５を通って延在する。例えば、張力要素１４は、プリテンションロッド、ロープ、バンド、ワイヤ、またはストランドを含み得る。図示の例示的な実施形態では、プレストレス鋼のロッド２６に張力が加えられる。張力要素１４は、セグメント１５の列１３の外側に配置された対向して配置されたアンカー要素２７ａ、ｂを含み、前記アンカー要素は、張力をかけたロッド２６に固定される。したがって、張力要素１４は、列方向Ｒに沿って延在するセグメント１５の列１３の外側の列１３の端部２５ａ、ｂに固定される。例示的な実施形態では、ヘッド２７ａをロッド２６の一端及びロッド２６の反対側の端部に固定するために、ロッド２６は、ナット２７ｂと螺合する外側ねじ山を備える。あるいは、例えば、張力要素１４の両端に外側ねじ山を設け、それらの各々を両端のナット２７ｂに螺合させてもよい。
【００４６】
図示の例示的な実施形態では、プリテンションが付与された張力要素１４は、アンカー要素２７ａ、ｂと、列１３に配置されたセグメント１５と、端部セクション２０との間のロッド２６内のプリテンション付与によって配置された末端カバー要素２３とを圧縮するために、弦材１１、１２の対向して配置された末端カバー要素２３に対して、逆方向に確実にロックするように、アンカー要素２７ａ、ｂでそれ自体を支えている。列１３の各端部２５ａ、ｂにおいて、末端カバー要素２３は、端部２５ａ、ｂ上の外側セグメント１５の端部側２４に対してそれ自体を支える、端部セクション２０のスタックである、要素のスタック（図示の例示的な実施形態では）に対して再びそれ自体を支える。この結果、隣接するセグメント１５は互いに押し付けられ、トラス要素１８の端部セクション２０は、隣接するセグメント１５間、または末端カバー要素２３と隣接するセグメント１５との間にクランプされる。
【００４７】
長い張力要素１５は、比較的柔らかい力／経路特性を有する。この結果、列１３の１つまたは複数の張力要素１４による列１３のセグメント１５相互の接続は、高い疲労強度を示す。これにより、動的応力が加わっても、支持体に高い疲労強度が付与される。これは、支持体１０と本発明の装置の接続要素との間の接続にも当てはまり、前記接続は、図３及び図４による例示的な実施形態の説明で説明するように、１つまたは複数の張力要素１４によって提供される。加えて、プリテンションが付与された張力要素１４はまた、極端な温度変動の場合に、高い疲労強度を有する接続部を付与する。
【００４８】
列１３の端部２５ａ、ｂ上の２つの力伝達位置の間−例示的な実施形態では、２つのアンカー要素２７ａ、ｂの支持位置の間−では、張力要素１４は、プリテンション力に沿って力伝達によってはセグメント１５の列１３に接続されることはない。張力要素１４の長手延在方向に沿ってプリテンション方向に張力を伝達するために、張力要素１４は、他の支持位置ではなく、特にアンカー要素２７ａ、ｂの２つの支持位置の間でそれ自体を支持する。
【００４９】
列１３の２つの隣接するセグメント１５は、好ましくは、列１３の１つまたは複数の張力要素１４によって列１３に導入される圧縮力のみによって、互いに押し付けられる。隣接するセグメント１５の隣接する端部２８ａ、ｂには、端部側２４の間に配置された要素の有無にかかわらず、セグメント１５の隣接する端部２８ａ、ｂ、特にセグメント１５の端部側２４を相互に圧縮するためのねじ接続装置はないことが好ましい。
【００５０】
下部弦材１１及び／または上部弦材１２における張力要素１４のプリテンションは、支持体に配置された装置の荷重であっても、装置が設計された最大荷重であっても、下部弦材１１及び／または上部弦材１２における列１３の隣接するセグメント１５間に隙間が生じないものであることが好ましい。列１３のそれぞれ２つの隣接するセグメント１５の間には、特に下部弦材１１の列１３の例示的な実施形態では、例えば、セグメント１５の隣接する端部２８ａ、ｂで隣接するセグメント１５を互いに接続するための、装置内での支持体１０の動作使用中に、列１３を列１３の張力付与要素１４のプリテンションに沿って張力を付与するねじ接続がないことが好ましい。さらに、装置が設計された最大負荷で装置に応力が付与されたときに、２つの隣接するセグメントに隙間を生じさせるような張力要素１４のプリテンション力に沿った引張応力を生じさせるから、列１３の２つのセグメント１５の間には溶接接続などの一体的に結合された接続はないことが好ましい。
【００５１】
隣接するセグメント１５は、列１３の張力要素１４のプリテンションにより、隣接するセグメント１５を相互に押圧することによって、プリテンション力に対して相互に、特に垂直に移動することが防止される。装置の使用時に装置内で支持体１０を使用する間に加えられる応力に対して横方向、特に装置にかかる荷重による張力に対して垂直方向の追加の接続装置は、列１３の隣接するセグメント１５間には設けないことが好ましい。
【００５２】
セグメント１５は、例えば、鋼、特に構造用鋼、またはアルミニウムから構成できる。例示的な実施形態では、セグメント１５は、底部１５ａ、２つの側壁１５ｂ、及び蓋部１５ｃを有する箱の形態を有する。例えば、セグメント１５、特に下部弦材１１のセグメント１５は、Ｕ形梁２９で作ることができ、その囲まれた空間は、図示の例示的な実施形態（図２）のように、平坦部分３０によって上方を覆われ、平坦部分３０は蓋部１５ｃを形成する。あるいは、Ｕ形梁２９は、下方に開放され、平坦部３０によって下方を閉鎖されるように配置されてもよく、前記平坦部は、この場合、底部１５ａを形成する。Ｕ形梁２９と平坦部３０とは、例えば、互いに溶接またはねじ止めすることができる。例示的な実施形態（図２参照）に示されるように、平坦部分３０は、Ｕ形梁２９を越えてわずかに横方向に突出してよい。支持体１０がクレーンに使用される場合、平坦部３０は、クレーンのトロリーのための走行面を提供することができる。Ｕ形梁２９及び平坦部３０を使用する設計の代替として、セグメント１５は、例えば、長方形梁３１で作ることができる。図示の例示的な実施形態では、上部弦材１２のセグメント１５は、長方形梁３１で構成される。
【００５３】
図示した実施例では、支持体１０の全てのセグメント１５は同じ長さであり、この場合、例えば、下部弦材１１のセグメント１５は、上部弦材１２の均一な長さとは異なる均一な長さを有してもよい。あるいは、例えば、下部弦材１１の１つまたは２つのセグメント１５は、支持体１０または下部弦材１１の他のセグメント１５とは異なる長さを有してもよい。これに代えてまたはこれに加えて、例えば、上部弦材１２の１つまたは２つのセグメント１５は、異なる長さを有してもよい。下部弦材１１及び／または上部弦材１２の一方または両方のセグメント１５は、支持体１０の長さを支持体１０のための装置の仕様に適合させるようにすることができる。水平及び垂直に対してトラス要素部分１９の角度が異なるトラス要素１８を異なる長さを有するセグメント１５上に配置してもよい。このトラス要素１８のトラス要素部分１９の角度は、異なる長さを有するセグメント１５を有するトラス要素１８を使用することができるように適合可能であってもよい。その他には、下部弦材１１及び上部弦材１２のそれぞれのセグメント１５を適切に選択することによって、異なる長さを有する支持体１０を提供することが可能である。下部弦材１１、上部弦材１２、及び／または支持体１０全体に使用されるセグメント１５が、１つまたは２つまたは３つのセグメント１５を除いて同じ長さを有するか、または同じ長さを有する場合、セグメント１５の倉庫保管及び支持体１０の組み立ては特に容易である。
【００５４】
好ましくは、各セグメント１５は１．２メートル以下である。したがって、セグメント１５は、好ましくは、ユーロプールパレットよりは長くない。
【００５５】
トラス要素１８は、好ましくは板金部品、好ましくは鋼板部品、特に構造用鋼板部品、またはアルミニウム板部品である。板金は、図２に見られるように、トラス要素部分１９の剛性を増加させるために、上部弦材１２と下部弦材１１との間のトラス要素１８のトラス要素部分１９において傾斜させることができる。板金部品の２つの端部セクション２０は、それぞれ、上部弦材１２の少なくとも１つのセグメント１５及び下部弦材１１の少なくとも１つのセグメント１５に押圧される。外側トラス要素１８の間に配置されたトラス要素１８の端部セクション２０は、隣接するセグメント１５の間にクランプされる。そうすることで、端部セクション２０は、セグメント１５と接触することができ、または端部セクション２０と、端部セクション２０が押し付けられるセグメント１５との間に、１つ以上の追加の要素、例えば端部セクション２０が配置される。
【００５６】
下部弦材１１及び／または上部弦材１２の１つまたは複数の張力要素１４は、少なくとも２つの個別の張力要素セグメント（図示せず）から組み立てることができる。張力要素セグメントは、組み立てられた張力要素１４内で、張力要素の長手方向範囲に沿って延在する。張力要素セグメントを互いに接続するために、例えば、隣接する張力要素セグメント間に接続部品（図示せず）を使用することが可能であり、その場合、張力要素セグメントは、例えば、接続部品内でねじ接続及び／またはクランプ接続によって固定される。張力要素セグメントは、最大１．２メートルの長さを有してよい。
【００５７】
列１３の隣接するセグメント１５の隣接する端部２８ａ、ｂ上、及び／または列１３の端部２５ａ、ｂ上に、セグメント１５を位置決めするため及び／またはトラス要素１８を位置決めするために、例えば鋼、特に構造用鋼またはアルミニウムの位置決め補助要素３２を設けることができる。図１及び図２による例示的な実施形態では、位置決め補助要素３２は、隣接するセグメント１５の隣接する端部２８ａ、ｂ及び端部２５ａ、ｂ上に配置される。それらの使用は、現場において支持体１０、例えば図１による支持体１０を組み立てる方法の例示的な表現の文脈内でさらに説明される。
【００５８】
例示的な実施形態では、支持体１０の個々の部分は、少なくともセグメント１５、トラス要素１８、末端カバー要素２３、ならびに張力要素１４、及び位置決め補助要素３２を含み、組み立てのために現場に搬送される。末端カバー要素２３、下部弦材１１のセグメント１５、及び上部弦材１２のセグメント１５、及びトラス要素１８は、図１に示された配置のために連続的に配置される。列１３内の２つの隣接するセグメント１５を相互に、特に列配向Ｒに対して横断する相対的な相互配置に関して位置決めするために、且つ隣接するセグメント１５間で、特に列配向Ｒに対して横断する相対的な相互配置に関して、トラス要素１８の端部セクション２０を位置決めするために、位置決め補助要素３２は、セグメント１５の端部上に配置されてもよい。これらの位置決め補助要素３２は、図１に示す支持体１０の例示的な実施形態では、隣接するセグメント１５の一方の端部領域から隣接するセグメント１５の隣接する端部領域まで延在し、隣接するセグメント１５及びトラス要素１８の挿入された端部セクション２０を列１３内に所望の配列で予備固定するために配置される。位置決め補助要素３２は、列１３に配置されたセグメント１５、トラス要素１８、及び／または末端カバー要素２３の、列方向Ｒ及び／または横方向、例えば列方向Ｒに対して垂直方向の隣接する要素に対する移動を阻止するように配置される。
【００５９】
位置決め補助要素３２は、位置決めのために隣接するセグメント１５に差し込まれ、セグメント１５の間にクランプされる端部セクション２０を貫通する。その際、隣接するセグメント１５の横断方向、例えば垂直方向への移動は、既に列方向Ｒで阻止される。位置決め補助要素３２は、締結装置（図示せず）によってセグメント１５に締結することができ、その場合、締結装置は、前もって互いに隣り合う位置に固定されている隣接するセグメント１５が、張力要素１４で固定するために所定の位置で固定されるように配置され、設定される。これに代えて、またはこれに加えて、位置決め補助要素３２は、セグメント１５の端部側と当接部として接触する当接要素（図示せず）を含んでよく、これにより、位置決め補助要素３２をセグメント１５内に過度に押し込むことができなくなる。位置決め補助要素３２を使用することにより、張力要素１４に張力をかける準備としてセグメント１５及びトラス桁要素１８を簡単な方法で正確に位置決めし、整列することができる。位置決め補助要素３２によって所定の位置に予め固定され、互いに対して整列された下部弦材及び／または上部弦材用のセグメント１５の列１３は、１つの列の端部２５ａから反対側の列の端部２５ｂまでオフセットのない連続縁部を形成することができる。図１及び図２にそれぞれ示される例示的な実施形態の末端カバー要素２３を参照すると、外側トラス要素１８の端部セクション２０を通って外側セグメント１５内に延在する末端カバー要素２３のセクションは、位置決め補助要素３２を形成する。しかし、この例示的な実施形態では、位置決め補助要素３２によるセグメント１５間の接続は、支持体１０の組み立て中にセグメント１５及び列１３の要素の取り扱いを容易にするために、予備固定のためにのみ作用する。位置決め補助要素３２による隣接セグメント１５間の接続は、好ましくは、下部弦材１１に作用し、装置内の支持体１０の使用中に生じる張力を吸収し、隣接セグメント１５間の隙間の開放を防止するのに適していない。下部弦材１１の要素の接続は、専ら下部弦材１１の要素をプリテンションが付与された張力要素１４によって圧縮することによって行うのが好ましい。
【００６０】
そのために、張力要素１４は、引張り棒２６がセグメント１５の列を通って延びるように、セグメント１５内に配置される。さらに、引張り棒２６には、特定のプリテンションでナット２７ｂの助けを借りてプリテンションがかけられ、その結果、アンカー要素２７ａ、b（例示的な実施形態では、ヘッド２７ａ）は、列１３の一端２５ａに対してそれ自体を支持し、列１３の反対端２５ｂ上のナット２７ｂは、末端カバー要素２３に対してそれ自体を支持する。そうすることで、アンカー要素２７ａ、ｂの間に配置された要素は、相互に補強される。支持体１０が使用される装置の動作使用中に荷重によって支持体１０に応力を加えることにより、上部弦材１２に付加的な圧縮力を作用させることが可能であり、一方、荷重により下部弦材１１に引張り力が作用する。その結果、上部弦材１２の張力要素１４の組み合わされたプリテンション力は、下部弦材１１の張力要素１４の組み合わされたプリテンション力よりも低くすることができる。次に、組み立てられた支持体１０を、装置の内部の使用場所に配置することができる。
【００６１】
下部弦材１１の張力要素１４のプリテンションは、支持体１０が使用される装置に荷重をかけたときでも、すなわち装置が設計された最大荷重であっても、隣接するセグメント１５の間に隙間が開かないように選択される。加えて、下部弦材１１及び／または上部弦材１２における張力要素１４のプリテンションは、プリテンションに起因して隣接するセグメント１４間に作用する締め付け力のために、装置が設計された最大荷重で応力をかけたときに、列１３の隣接するセグメント１５が、締め付け力に対して横方向、例えば垂直方向に相互にずれないように、または例えば末端セクション２０の隣接する要素が、一方または他方のセグメント１５に対して、締め付け力に対して横方向、例えば垂直方向に相互にずれないように選択されることが好ましい。特に、隣接するセグメント１５間の接続部における摩擦面間の摩擦係数が低く、ずれを防止するのに十分な締め付け力を加えることができない場合には、隣接するセグメント１５の隣接する端部２８ａ、ｂにポジティブロック要素を配置することが好ましく、この場合、この配置は、ポジティブロックによって、上方向及び／または下方向及び／または横方向における隣接するセグメント１５相互のずれを防止するように設定される。１つの例示的な実施形態では、特に図面に示す例示的な実施形態では、位置決め補助要素３２は、ポジティブロック要素として作用することができる。
【００６２】
下部弦材１１の張力要素１４に予め張力をかけることにより、組み立てられた装置内に配置された支持体１０は、好ましくは上方に曲げられる。本発明の支持体１０をブリッジ支持体として備えたブリッジクレーンの場合、例えば、クレーンに荷重が掛かっていない場合には、本発明の支持体を上方に曲げることができる。
【００６３】
列１３の２つの隣接するセグメント１５は、好ましくは、専ら２つの方向から列１３の１つまたは複数の張力要素１４によって隣接するセグメント１５に加えられる圧縮力によって相互に保持される。ポジティブロックは圧縮力に沿って生じる。横方向、例えば圧縮力に対して垂直な方向に、少なくとも１つの摩擦ロッキング接続が存在する。
【００６４】
支持体１０は、セグメント化された構造設計により、例えばスキー小屋及び山岳救助小屋のようなアクセスが困難な設置場所に、個々の部品で輸送され、現場で組み立てることができる。
【００６５】
支持体１０は、例えば、橋またはクレーンのための支持体１０であってもよい。
【００６６】
図３は、図１及び図２に例示された実施形態に本質的に対応する、ブリッジ支持体１０としての支持体１０を有するクレーンブリッジ３３の長手方向断面を示す。クレーンブリッジ３３は、ブリッジクレーン３４に属し、このブリッジクレーン３４を図４において極めて概略的な方法で例示する。図示されたブリッジクレーン３４は、単一桁のブリッジクレーンである。単一桁のブリッジクレーン用の図示されたクレーンブリッジ３３は、本発明の支持体１０をブリッジ支持体１０として含む。ブリッジ支持体１０は、鋼またはアルミニウムの２つのキャリッジ３５の間に取り付けられ、そこに固定される。ダブルガーダブリッジクレーンの場合、本発明の２つのブリッジ支持体１０は、キャリッジ３５の間に互いに隣接して配置され、これらに固定される。ブリッジ支持体１０は、ブリッジクレーン３４の作業空間Ａに架け渡されている。車輪（図示せず）がキャリッジ３５上に配置され、前記車輪は、クレーン軌道３６上において、ブリッジ支持体１０及びキャリッジ３５を含むクレーンブリッジ３３を移動させることを可能にする。クレーン３４のトロリー３７は、下部弦材１１の平坦部３０上に移動可能に保持され得る。
【００６７】
ブリッジ支持体１０は、２つのクレーン軌道３６を介して基礎に対して外部から支持される。ブリッジクレーン３４の一例の図面は、本発明の装置３４において、列１３の少なくとも２つ又は少なくとも３つの連続して配置されたセグメント１５が、列１３を通って延在する張力要素１４による列１３の全てのセグメント１５の相互の固定によって、及びもしあれば、例えばポジティブロック要素３２によって形成されるポジティブロックに基づいて、基礎に対して支持体１０の２つの外部支持体の間に形成される空間Ａに跨り、２つの外部支持体の間に、基礎に対して少なくとも２つ又は少なくとも３つの連続して配置されたセグメント１５の追加の外部支持体、特に少なくとも２つ又は少なくとも３つのセグメント１５の３つの隣接する端部２８ａ、ｂの追加の外部支持体を必要とせず、または存在してもよいことを示す。これは、トラス支持体として構成された本発明の支持体１０を有する本発明の装置３４と、本発明に従って設計されたセグメント１５に分割されたボックス桁支持体として構成された支持体を有する装置とに等しく当てはまる。本発明のブリッジまたはサインガントリを参照すると、列１３の少なくとも２つ又は少なくとも３つのセグメント１５の連続した配置は、ブリッジパネルの一端から他端まで延在してよい。例えば、少なくとも３つの連続的に配置されたセグメント１５の場合、中央のセグメント１５は、隣接するセグメント１５間に固定されることによりクランプされ、これにより、２つの隣接するセグメント１５間のポジティブロックにより、中央セグメントの隣接する端部２８ａ、ｂ及び基礎に対する隣接するセグメント１５の一方または両方の外部支持なしに、スパンされた空間上に保持され得る。
【００６８】
図１による例示的な実施形態とは異なり、下部弦材１１の張力要素１４は、セグメント１５の列１３の端部２５ａ、ｂに配置されたキャリッジ３５に固定されている。張力要素１４は、キャリッジ３５の壁３８に対して、またはアンカー要素２７ａ、ｂとキャリッジ３５の壁３８との間に配置された中間要素３９に対して、それぞれ内側からキャリッジ３５内に配置されたヘッド２７ａ及びナット２７ｂを有する実施例によるそれらのアンカー要素２７ａ、ｂでそれ自体を支える。この結果、キャリッジ３５は列１３の端部２５ａ、ｂに押圧される。例示的な実施形態では、キャリッジ３５は、それ自体、末端カバー要素２３に支持される。あるいは、例えば、キャリッジ３５は、キャリッジ３５と隣接する外側のセグメント１５の端部側２４との間にそれぞれクランプされた外側のトラス桁要素１８の端部セクション２０に対してそれ自体を支持し得る。他には、キャリッジ３５は、例えば列１３の外側のセグメント１５の端部側２４に対して、それ自体を支えることができる。例示的な実施形態では、支持体１０は、下部弦材１１の張力要素１４によってキャリッジ３５に固定される。これにより、クレーンブリッジ３３の組み立てが特に容易になる。クレーンブリッジ３３は、上述した例示的な方法と同様に組み立てることができ、下部弦材１１の張力要素１４は、キャリッジ３５の壁３８を貫通する。
【００６９】
あるいは、装置は、例えば、セミポータルクレーン（図示せず）であってもよい。このようなクレーンは、本発明の支持体１０の一方の端部にのみ、好ましくは張力要素１４によって下部弦材１１に固定されたキャリッジ３５を有し、このキャリッジ３５は、クレーンの作業空間の上端に位置するクレーン軌道上を移動可能である。
【００７０】
図面に示す実施形態では、下部弦材１１は上部弦材１２よりも長い。あるいは、下部弦材１１と上部弦材１２とは同じ長さを有していてもよいし、下部弦材１１が上部弦材１２よりも短くてもよい。それとは独立して、トラス桁支持体１０の下部弦材１１及び／または上部弦材１２は、接続要素３５、例えばキャリッジ３５に固定されてもよい。
【００７１】
図５は、本発明の支持体１０の例示的な実施形態の長手方向断面を示す。図１に関連する説明は、本質的にこの例示的な実施形態に当てはまる。しかしながら、下部弦材１１及び上部弦材１２の列１３の最も外側のセグメント１５と、次の隣接するセグメント１５との間の第２のトラス要素１８の代わりに、それぞれ、最も外側のトラス要素１８と隣接するトラス要素１８に、少なくとも１つのターンバックル４０が固定され、その長さは、水平及び垂直に対するターンバックル４０の角度を適合させるように適合される。したがって、下部弦材１１及び上部弦材１２の列１３の最も外側のセグメント１５の長さは、必要な長さを有する支持体１０を提供するように適合させることができる。列１３の最も外側のセグメント１５の間に配置された少なくとも３つのセグメント１５を含む列１３のセグメント１５は、均一な長さを有してもよい。
【００７２】
図６は、支持体の下部弦材１１のセグメント１５の列と、支持体１０の例示的な実施形態の上部弦材１２のセグメント１５の列１３とを通る長手方向断面を示す。支持体１０は、下部弦材１１内の少なくとも２つの隣接する列１３と、上部弦材１２内の少なくとも
２つの隣接する列１３とを含む。支持体１０は、少なくとも１つの長さ適合部分４１を有し、この長さ適合部分４１は、トラス要素１８として２つの板金要素４２を有し、これらの板金要素４２は、列方向Ｒに対して横方向に、例えば、垂直に延在し、垂直な板金要素４２は、プリテンションが付与された張力要素１４によって、下部弦材１１のセグメント１５と上部弦材１２のセグメント１５との間にクランプされる。垂直な板金要素４２の間には、下部弦材１１と上部弦材１２に、所望の長さの支持体１０を提供するように長さが適合されたセグメント１５が配置されている。長さ適合部分に隣接するセグメント１５も、それぞれ適合された長さを有する。安定化のために、安定化要素４３が、垂直な板金要素４２の間に配置され、前記安定化要素は、張力要素１４に沿って延在し、例えば、溶接またはヒンジ留めによって、垂直な板金要素４２に固定される。それ以外は、図１に関する説明が同様に適用される。
【００７３】
図５及び図６に示される適切な長さを有する支持体１０を提供するための選択肢の代わりに、またはそれに加えて、水平または垂直に対して傾斜して延在するトラス要素１８のセクション１９の水平または垂直に対する角度は、セグメント１５の間にクランプされる前記トラス要素１８は、適合された長さを有するセグメント１５を使用することができるように適合され得る。
【００７４】
本発明のトラス桁支持体１０は、下部弦材１１及び／または上部弦材１２に対して垂直に配置されたトラス要素１８（ポスト）を用いて、一端２１ａ、ｂまたは両端２１ａ、ｂで終端することができる。これに関連して、図７は、支持体１０の一端２１ｂで同一平面上で終端し、上部弦材１２が下部弦材１１を越えて支持体１０の一端２１ａで突出する下部弦材１１及び上部弦材１２を有する本発明のトラス桁支持体１０の例示的な実施形態を示す。閉鎖用のシートメタルからなる垂直なトラス要素１８は、下部弦材１１の末端カバー要素２３と上部弦材１２との間、及び隣接するセグメント１５の列１３の端部２５ｂとの間に、張力要素１４による締め付けによって締め付けられる。あるいは、上部弦材１２及び下部弦材１１は、例えば、同じ長さを有してもよく、その場合、垂直トラス要素１８は、各端部２１ａ、ｂ上に配置される。それ以外は、他の実施形態に関する説明は、図７に関連して説明した実施形態に関連して同様に適用される。
【００７５】
本発明の支持体１０のポジティブロック要素３２の各々は、複数の部品から構成することができる。例えば、図８は、例えば説明した実施形態の１つで使用することができるように、下部弦材１１及び／または上部弦材１２の２つの隣接するセグメント１５間にポジティブロックを提供するための複数部品のポジティブロック要素３２を示す。ポジティブロック要素３２は、隣接するセグメント１５の一方の一端２８ａ上のセクションに、好ましくは精密嵌合で配置される第１の部分４４と、隣接するセグメント１５の他方の隣接する端２８ｂのセクションに、好ましくは精密嵌合で配置される第２の部分４５とを含む。さらに、ポジティブロック要素３２は、第１の部分４４及び第２の部分４５のそれぞれ１つのレセプタクル４７ａ、ｂに、好ましくは精密嵌合で配置される第３の部分４６を備える。張力要素１４は、第３の部分４６を通って延びている。第１の部分４４、第２の部分４５及び第３の部分４６は、例えば、アルミニウムまたは鋼から構成することができる。第１の部分４４、第２の部分４５、及び第３の部分４６は、隣接するセグメント１５間に、互いに長手方向にプリテンションが付与された１つまたは複数の張力要素１４によるクランプ力の方向に対して横方向のポジティブロックを介在させる。第３の部分４６は、外側の幅及び／または高さが、第１及び第２の部分の外側の幅及び／または高さ（隣接するセグメント１５の長さ方向に対して横断方向または列方向Ｒに対して横断方向の幅及び／または高さ）よりも小さい。第３の部分４６は、トラス要素１８の端部セクション２０の凹部４８に、好ましくは精密嵌合で配置される。第１の部分４４のレセプタクル４７ａと端部セクション２０の凹部４８と第２の部分４５のレセプタクル４７ｂとを通って延びる第３の部分４６は、端部セクション２０間のクランプ力の方向を横切る方向に、かつ端部セクション２０と隣接するセグメント１５との間の第１の部分４４と第２の部分４５とを介して、ポジティブロックを伝える。ポジティブロック要素３２の複数部品の実施形態は、ポジティブロック要素３２、ここではポジティブロック要素３２の第３の部品４６を受け入れるために、端部セクション２０に比較的小さな凹部４８しか必要としない。セグメント１５の端部２８ａ、２８ｂ上の１または複数の張力要素１４は、クランプ力に対して横断するポジティブロック要素を形成しない。第１の部分４４及び第２の部分４５における第３の部分４６の配置、セグメント１５における第１の部分４４の配置、及びセグメント１５における第１の部分４４及びセグメント１５における第２の部分４５の配置は、端部２８ａ、２８ｂにおけるクランプ力を横切る力が１つまたは複数の張力要素１４に及ぼされるように、セグメント１５の相互のずれ、またはクランプ力を横切る方向における端部セクション２０の相互のずれがないように設定される。第１の部分４４及び第２の部分４５、４６の外側寸法は、端部２８ａ、２８ｂにおけるセグメント１５の内側寸法に適切に適合され、第３の部分４６の外側寸法は、端部セクション２０における凹部４８の内側寸法、及び第１の部分４４及び第２の部分４５におけるレセプタクル４７ａ、４７ｂの内側寸法に適切に適合される。隣接するセグメント１５の隣接する端部２８ａ、２８ｂにおいて、１つまたは複数の張力要素１４は、ポジティブロック要素３２の単一部品または複数部品の設計とは無関係に、列１３のポジティブロック要素３２から少なくとも最小限の距離にあることが好ましい。支持体１０の組立中にポジティブロック接続を形成するために、例えば、第１の部分４４は、セグメント１５の端部２８ａの部分に差し込まれる。次に、例えば、トラス要素１８をセグメント１５の端部２８ａに配置し、第３の部分４６をトラス要素１８の端部セクション２０の凹部４８及び第１の部分４４のレセプタクル４７ａに差し込む。次に、追加のトラス要素１８の端部セクション２０を第３の部分４６上に押し込むことができる。最後に、例えば、第２の部分４５が第３の部分４６に押圧され、隣接するセグメント１５が第２の部分４５に押圧される。あるいは、例えば、終端２８ｂから開始することも可能である。第１の部分４４、第２の部分４５、及び／または第３の部分４６は、第１の部分４４、第２の部分４５、及び／または第３の部分４６を、特に組み立て中に、列方向Ｒに固定するために、固定手段（図示せず）と関連付けることができ、複数部分からなるポジティブロック要素３２は、組み立て中に、位置決め補助要素３２として使用される。
【００７６】
本発明の支持体１０は、互いに隣接して配置されたセグメント１５の少なくとも１つの列１３を含み、この場合、列１３は、支持体１０の一方の端部２１ａから支持体１０の反対側の端部２１ｂまで延びることが好ましい。好ましい実施形態では、少なくとも１つの列１３を通って、引張り棒とも呼ばれることができ、列１３の端部２５ａ、ｂに固定され、列１３のセグメント１５を一緒に保持するために列１３に対してあらかじめ張力がかけられた少なくとも１つの張力要素１４が延在する。その際、隣接するセグメント１５は、１つまたは複数の張力要素１４によって、それらの端部側２４で相互に補強され、その場合、端部側２４の間に、例えば板金などの１つまたは複数の要素が配置されてもよく、前記要素が配置されなくてもよい。列１３に対して列１３の１つまたは複数の張力要素１４をプレテンショニングすることにより、列１３の隣接するセグメント１５を互いに接続することは、列１３の隣接するセグメント１５を接続するための追加の接続手段が必要ではないから極めて好ましい。したがって、列１３の２つの隣接するセグメント１５の間には、隣接するセグメント１５を互いに接続するための例えば溶接接続及び／またはねじ接続などの一体的に結合された接続が存在しないことが好ましく、組み立てられた装置３３、３４における支持体１０の動作使用中に、セグメント１５には、列１３の長手方向範囲に沿って応力が加わっている。例示的な実施形態では、隣接するセグメント１５の間にポジティブロック接続が存在してもよく、前記接続は、隣接するセグメント１５の相互の移動を防止するか、または隣接するセグメント１５の間に配置された要素、例えばトラス要素１８が、セグメント１５の1つに対して、張力要素によって加えられる締め付け力に対して横方向、例えば垂直方向に移動することを防止する。支持体１０は、個々のセグメント１５が現場に移送され、そこで初めて列１３を形成するように設定され、張力要素１４によって相互に結合されるという点で、現場に設けることができる。
【００７７】
本発明の装置３４の例示的な実施形態は、少なくとも３つの連続して配置されたセグメント１５の１つの列１３を有する少なくとも１つの支持体１０を含み、列１３のセグメント１５は、支持体１０内に延在する張力要素１４によって相互に支持され、張力要素１４は、列１３のセグメント１５を相互に支持するために、列１３のセグメント１５の対向する端部２５ａ、ｂに固定され、列１３の２つの隣接するセグメント１５の間に、セグメント１５の長手方向に対して横断する方向にポジティブロックが形成され、列１３のセグメント１５を相互に支持することによって、セグメント１５の隣接する端部２８ａ、ｂの基礎に対する外部支持の存在なしに、セグメント１５の長手延在方向に対して横方向の隣接するセグメント１５相互の移動が防止される。
【符号の説明】
【００７８】
１０    支持体
１１    下部弦材
１２    上部弦材
１３    列
１４    張力要素
１５    セグメント
１５ａ  底部
１５ｂ  側壁
１５ｃ  蓋部
１６ａ、１６ｂ  下部弦材の端部
１７ａ、１７ｂ  上部弦材の端部
１８    トラス要素
１９    トラス要素部分
２０    端部セクション
２１ａ。２１ｂ  支持体の端部
２２    スタック
２３    末端カバー要素
２４    端部側
２５ａ、２５ｂ  列の端部
２６    引張り棒
２７ａ、２７ｂ  アンカー要素
２７ａ  ヘッド
２７ｂ  ナット
２８ａ、２８ｂ  セグメント１５の隣接する端部
２９    Ｕ形梁
３０    平坦部分
３１    長方形梁
３２    位置決め補助要素
３３    クレーンブリッジ
３４    ブリッジクレーン
３５    キャリッジ
３６    クレーン軌道
３７    トロリー
３８    壁
３９    中間要素
４０    ターンバックル
４１    長さ適合部分
４２    板金要素
４３    安定化要素
４４    第１の部分
４５    第２の部分
４６    第３の部分
４７ａ、４７ｂ  レセプタクル
４８    凹部
Ｌ      セグメント長
Ａ      作業空間
Ｈ      水平
Ｒ      列方向
【図１】
2020508947.tif 000003
【図２】
2020508947.tif 000004
【図３】
2020508947.tif 000005
【図４】
2020508947.tif 000006
【図５】
2020508947.tif 000007
【図６】
2020508947.tif 000008
【図７】
2020508947.tif 000009
【図８】
2020508947.tif 000010
【手続補正書】
【提出日】令和1年8月29日(2019.8.29)
【手続補正１】
【補正対象書類名】明細書
【補正対象項目名】００１４
【補正方法】変更
【補正の内容】
【００１４】
支持体は、例えば装置の使用場所で特に容易に組み立てることができる。列のセグメント同士の接続は、好ましくは、セグメントの列を通って延在し、列の端部に固定される１つ以上の張力要素によって、セグメントを互いに対して補強することによってのみ生じる。張力を加えられる隣接するセグメントを接続するための隣接するセグメント間のねじによる接続、または隣接するセグメント間の溶接接続は、説明したように省略することができる。
【手続補正２】
【補正対象書類名】明細書
【補正対象項目名】００２２
【補正方法】変更
【補正の内容】
【００２２】
張力要素は、列にプリテンションによる力を伝達するために、ポジティブロック接続（formschluessig）及び／または摩擦ロック接続（reibschluessig）によって列の端部に固定されてもよい。好ましくは、張力要素のアンカー要素は、列の一端のために張力要素に固定され、それによって、列のセグメントを圧縮するために、プリテンションによる力をセグメントの列に伝達することができる。好ましくは、それぞれ１つのアンカー要素が、列のそれぞれ１つの端部に設けられる。セグメントの列の片側または両側のアンカー要素によって、例えば、１つまたはそれぞれ１つのポジティブロック接続を介して、力を列に伝達することが可能である。アンカー要素は、一方の端部で、張力要素にプリテンションをかけることにより、列の外側セグメントの一方の端部セクションでそれ自体を支持することができる。あるいは、張力要素は、例えば、端部セクションとアンカー要素との間にクランプされる１つの要素または要素のスタック上で、それ自体を支持することができる。張力要素は、少なくとも、外側セグメントの内側で１つのアンカー要素によってそれ自体を支持することができる。しかしながら、好ましくは、張力要素は、外側セグメントの外側に固定される。好ましくは、張力要素は、列の外側でそれ自体を支持する。好ましくは、セグメントの列は、それに応じて、支持位置の間に配置される。例えば、アンカー要素は、端部で外側セグメントの正面でそれ自体を支持することができ、またはアンカー要素は、アンカー要素と正面との間にクランプされた要素または要素のスタックでそれ自体を支持することができる。列の反対側の端部のためのアンカー要素は、上述したように、それ自体を支持することができる。特に好ましくは、両端に配置されたアンカー要素は、それぞれの端面とアンカー要素との間にそれぞれクランプされた１つの要素または要素のスタック上に、それぞれそれ自体を支持する。
【手続補正３】
【補正対象書類名】明細書
【補正対象項目名】００３６
【補正方法】変更
【補正の内容】
【００３６】
模式的に示す
【図１】トラス構造における、本発明の支持体の例示的な実施形態を通る長手方向断面図である。
【図２】図１による例示的な実施形態の断面図である。
【図３】本発明のトラス構造である支持体を備えたブリッジクレーンのクレーンブリッジの例示的な実施形態である。
【図４】本発明の支持体を含むブリッジクレーンの高度に概略的な斜視図である。
【図５】本発明の支持体のさらなる例示的な実施形態であって長手方向に設けられた選択的部材を有するものの長手方向断面図である。
【図６】本発明の支持体であって、長手方向に設けられた選択的部材を有するものを通る長手方向断面図である。
【図７】本発明の支持体のさらなる例示的な実施形態の長手方向断面図である。
【図８】ポジティブロック要素の例示的な実施形態の長手方向断面図である。
【手続補正４】
【補正対象書類名】明細書
【補正対象項目名】００３７
【補正方法】変更
【補正の内容】
【００３７】
図１は、本発明の支持体１０の例示的な実施形態の縦断面図を示す。図２は、切断線Ｂ−Ｂ（図１の矢印Ｐの方向から見た図）に沿った、図１による支持体１０の断面図である。本発明の支持体１０は、図１及び図２に示されるようなトラス桁支持体１０であってもよく、その場合、支持体１０は、図１及び図２の例示的な実施形態によると、好ましくは、列１３内の少なくとも１つの張力要素１４によって互いに対して補強される列１３内のセグメント１５を有する、セグメント化された構造設計の下部弦材１１及び／または上部弦材１２を備える。トラスガーダ設計の支持体１０は、例えば、水平な上部弦材１２と水平な下部弦材１１とを備えてよい。図１及び図２に示すトラス桁支持体１０の外形によれば、これは台形支持体である。しかしながら、本発明の支持体１０は、替わりに異なる枠組み形態を有してもよい。トラスガーダ設計の代替として、支持体１０は、例えば、箱形セグメントの列を有する箱形ガーダ（図示せず）として構成することができ、箱形セグメントの上側は支持体の上部弦材を形成することができ、下側は支持体の下部弦材を形成することができる。
【手続補正５】
【補正対象書類名】明細書
【補正対象項目名】００３９
【補正方法】変更
【補正の内容】
【００３９】
図示された支持体１０は、下部弦材１１と上部弦材１２との間で水平Ｈ及び垂直Ｖに対して傾斜したトラス要素部分１９を有するトラス要素１８を備え、前記セクションはまた、アバットメントとも呼ばれる。図示のトラス構造の支持体１０は、ポストとも呼ばれる垂直ロッドを必要としない。替わりに、トラス構造の支持体１０は、ポストを有してもよい。トラス要素１８は、実施例のように垂直方向Ｖに延在する端部セクション２０を有する。
【手続補正６】
【補正対象書類名】明細書
【補正対象項目名】００４３
【補正方法】変更
【補正の内容】
【００４３】
同様に、上部弦材１２の端部１７ａ、ｂには、それぞれ１つの末端カバー要素２３が配置されている。末端カバー要素２３と上部弦材１２の列１３の外側セグメント１５の端部側２４との間の各端部1７ａ、ｂには、末端カバー要素２３が外側セグメント１５の端部側２４に対して押圧されるように外側のトラス要素の端部セクション２０がクランプされている。
【手続補正７】
【補正対象書類名】明細書
【補正対象項目名】００４４
【補正方法】変更
【補正の内容】
【００４４】
本発明によれば、端部セクションをクランプするためのクランプ力は、少なくとも１つのプリテンションが付与された張力要素１４によって、列１３の末端カバー要素２３及びセグメント１５を圧縮することによって加えられる。図１及び図２に示す例示的な実施形態では、それぞれ２つの張力要素１４は、下部弦材１１及び上部弦材１２のセグメント１５の列を通って互いに平行に延びる。図１の表示では、列の張力要素１４が同じ高さに延びているので、それぞれ１つの張力要素１４が他の張力要素によって覆い隠されている。図２の図では、平行な張力要素１４が、例示的な実施形態の断面図で示されている。列１３のセグメント１５を互いに押圧するための２つの張力要素１４の代わりに、列１３のセグメント１５を貫通して列１３のセグメント１５を互いに押圧する１つの張力要素１４または２つよりも多い張力要素１４を少なくとも１つの列１３に設けてもよい。
【手続補正８】
【補正対象書類名】明細書
【補正対象項目名】００４５
【補正方法】変更
【補正の内容】
【００４５】
１つの張力要素１４に関する以下の説明は、特に断らない限り、支持体１０内に配置された列１３の全ての張力要素１４に当てはまる。図１及び図２による図示された例示的な実施形態では、張力要素１４は、セグメント１５の列１３の端部２５ａ、ｂを越えてセグメント１５を通って延在する。例えば、張力要素１４は、プリテンションロッド、ロープ、バンド、ワイヤ、またはストランドを含み得る。図示の例示的な実施形態では、プレストレス鋼のロッド２６に張力が加えられる。張力要素１４は、セグメント１５の列１３の外側に対向して配置されたアンカー要素２７ａ、ｂを含み、前記アンカー要素は、張力をかけたロッド２６に固定される。したがって、張力要素１４は、列方向Ｒに沿って延在するセグメント１５の列１３の外側の列１３の端部２５ａ、ｂに固定される。例示的な実施形態では、ヘッド２７ａをロッド２６の一端及びロッド２６の反対側の端部に固定するために、ロッド２６は、ナット２７ｂと螺合する外側ねじ山を備える。あるいは、例えば、張力要素１４の両端に外側ねじ山を設け、それらの各々を両端のナット２７ｂに螺合させてもよい。
【手続補正９】
【補正対象書類名】明細書
【補正対象項目名】００５０
【補正方法】変更
【補正の内容】
【００５０】
下部弦材１１及び／または上部弦材１２における張力要素１４のプリテンションは、支持体に配置された装置の荷重であっても、装置が設計された最大荷重であっても、下部弦材１１及び／または上部弦材１２における列１３の隣接するセグメント１５間に隙間が生じないものであることが好ましい。列１３のそれぞれ２つの隣接するセグメント１５の間には、特に下部弦材１１の列１３の例示的な実施形態では、例えば、セグメント１５の隣接する端部２８ａ、ｂで隣接するセグメント１５を互いに接続するための、装置内での支持体１０の動作使用中に、列１３を列１３の張力要素１４のプリテンションに沿って張力を付与するねじ接続がないことが好ましい。さらに、装置が設計された最大負荷で装置に応力が付与されたときに、２つの隣接するセグメントに隙間を生じさせるような張力要素１４のプリテンション力に沿った引張応力を生じさせるから、列１３の２つのセグメント１５の間には溶接接続などの一体的に結合された接続はないことが好ましい。
【手続補正１０】
【補正対象書類名】明細書
【補正対象項目名】００５２
【補正方法】変更
【補正の内容】
【００５２】
セグメント１５は、例えば、鋼、特に構造用鋼、またはアルミニウムから構成できる。例示的な実施形態では、セグメント１５は、底部１５ａ、２つの側壁１５ｂ、及び蓋部１５ｃを有する箱の形態を有する。例えば、セグメント１５、特に下部弦材１１のセグメント１５は、Ｕ形梁２９で作ることができ、その囲まれた空間は、図示の例示的な実施形態（図２）のように、平坦部３０によって上方を覆われ、平坦部３０は蓋部１５ｃを形成する。あるいは、Ｕ形梁２９は、下方に開放され、平坦部分３０によって下方を閉鎖されるように配置されてもよく、前記平坦部は、この場合、底部１５ａを形成する。Ｕ形梁２９と平坦部３０とは、例えば、互いに溶接またはねじ止めすることができる。例示的な実施形態（図２参照）に示されるように、平坦部３０は、Ｕ形梁２９を越えてわずかに横方向に突出してよい。支持体１０がクレーンに使用される場合、平坦部３０は、クレーンのトロリーのための走行面を提供することができる。Ｕ形梁２９及び平坦部３０を使用する設計の代替として、セグメント１５は、例えば、長方形梁３１で作ることができる。図示の例示的な実施形態では、上部弦材１２のセグメント１５は、長方形梁３１で構成される。
【手続補正１１】
【補正対象書類名】明細書
【補正対象項目名】００５５
【補正方法】変更
【補正の内容】
【００５５】
トラス要素１８は、好ましくは板金部品、好ましくは鋼板部品、特に構造用鋼板部品、またはアルミニウム板部品である。板金は、図２に見られるように、トラス要素部分１９の剛性を増加させるために、上部弦材１２と下部弦材１１との間のトラス要素１８のトラス要素部分１９において傾斜させることができる。板金部品の２つの端部セクション２０は、それぞれ、上部弦材１２の少なくとも１つのセグメント１５及び下部弦材１１の少なくとも１つのセグメント１５に押圧される。外側トラス要素１８の間に配置されたトラス要素１８の端部セクション２０は、隣接するセグメント１５の間にクランプされる。そうすることで、端部セクション２０は、セグメント１５と接触することができ、または端部セクション２０と、端部セクション２０が押し付けられるセグメント１５との間に、１つ以上の追加の要素、例えば端部セクション２０が配置される。
【手続補正１２】
【補正対象書類名】明細書
【補正対象項目名】００５８
【補正方法】変更
【補正の内容】
【００５８】
例示的な実施形態では、支持体１０の個々の部分は、少なくともセグメント１５、トラス要素１８、末端カバー要素２３、ならびに張力要素１４、及び位置決め補助要素３２を含み、組み立てのために現場に搬送される。末端カバー要素２３、下部弦材１１のセグメント１５、及び上部弦材１２のセグメント１５、及びトラス要素１８は、図１に示されたように連続的に配置される。列１３内の２つの隣接するセグメント１５を相互に、特に列方向Ｒに対して横断する相対的な相互配置に関して位置決めするために、且つ隣接するセグメント１５間で、特に列方向Ｒに対して横断する相対的な相互配置に関して、トラス要素１８の端部セクション２０を位置決めするために、位置決め補助要素３２は、セグメント１５の端部上に配置されてもよい。これらの位置決め補助要素３２は、図１に示す支持体１０の例示的な実施形態では、隣接するセグメント１５の一方の端部領域から隣接するセグメント１５の隣接する端部領域まで延在し、隣接するセグメント１５及びトラス要素１８の挿入された端部セクション２０を列１３内に所望の配列で予備固定するために配置される。位置決め補助要素３２は、列１３に配置されたセグメント１５、トラス要素１８、及び／または末端カバー要素２３の、列方向Ｒ及び／または横方向、例えば列方向Ｒに対して垂直方向の隣接する要素に対する移動を阻止するように配置される。
【手続補正１３】
【補正対象書類名】明細書
【補正対象項目名】００５９
【補正方法】変更
【補正の内容】
【００５９】
位置決め補助要素３２は、位置決めのために隣接するセグメント１５に差し込まれ、セグメント１５の間にクランプされる端部セクション２０を貫通する。その際、隣接するセグメント１５の横断方向、例えば垂直方向への移動は、既に列方向Ｒで阻止される。位置決め補助要素３２は、締結装置（図示せず）によってセグメント１５に締結することができ、その場合、締結装置は、前もって互いに隣り合う位置に固定されている隣接するセグメント１５が、張力要素１４で固定するために所定の位置で固定されるように配置され、設定される。これに代えて、またはこれに加えて、位置決め補助要素３２は、セグメント１５の端部側と当接部として接触する当接要素（図示せず）を含んでよく、これにより、位置決め補助要素３２をセグメント１５内に過度に押し込むことができなくなる。位置決め補助要素３２を使用することにより、張力要素１４に張力をかける準備としてセグメント１５及びトラス要素１８を簡単な方法で正確に位置決めし、整列することができる。位置決め補助要素３２によって所定の位置に予め固定され、互いに対して整列された下部弦材及び／または上部弦材用のセグメント１５の列１３は、１つの列の端部２５ａから反対側の列の端部２５ｂまでオフセットのない連続縁部を形成することができる。図１及び図２にそれぞれ示される例示的な実施形態の末端カバー要素２３を参照すると、外側トラス要素１８の端部セクション２０を通って外側セグメント１５内に延在する末端カバー要素２３のセクションは、位置決め補助要素３２を形成する。しかし、この例示的な実施形態では、位置決め補助要素３２によるセグメント１５間の接続は、支持体１０の組み立て中にセグメント１５及び列１３の要素の取り扱いを容易にするために、予備固定のためにのみ作用する。位置決め補助要素３２による隣接セグメント１５間の接続は、好ましくは、下部弦材１１に作用し、装置内の支持体１０の使用中に生じる張力を吸収し、隣接セグメント１５間の隙間の開放を防止するのに適していない。下部弦材１１の要素の接続は、専ら下部弦材１１の要素をプリテンションが付与された張力要素１４によって圧縮することによって行うのが好ましい。
【手続補正１４】
【補正対象書類名】明細書
【補正対象項目名】００６０
【補正方法】変更
【補正の内容】
【００６０】
そのために、張力要素１４は、引張り棒（ロッド）２６がセグメント１５の列を通って延びるように、セグメント１５内に配置される。さらに、引張り棒２６には、特定のプリテンションでナット２７ｂの助けを借りてプリテンションがかけられ、その結果、アンカー要素２７ａ、b（例示的な実施形態では、ヘッド２７ａ）は、列１３の一端２５ａに対してそれ自体を支持し、列１３の反対端２５ｂ上のナット２７ｂは、末端カバー要素２３に対してそれ自体を支持する。そうすることで、アンカー要素２７ａ、ｂの間に配置された要素は、相互に補強される。支持体１０が使用される装置の動作使用中に荷重によって支持体１０に応力を加えることにより、上部弦材１２に付加的な圧縮力を作用させることが可能であり、一方、荷重により下部弦材１１に引張り力が作用する。その結果、上部弦材１２の張力要素１４の組み合わされたプリテンション力は、下部弦材１１の張力要素１４の組み合わされたプリテンション力よりも低くすることができる。次に、組み立てられた支持体１０を、装置の内部の使用場所に配置することができる。
【手続補正１５】
【補正対象書類名】明細書
【補正対象項目名】００６６
【補正方法】変更
【補正の内容】
【００６６】
図３は、図１及び図２に例示された実施形態に本質的に対応する、ブリッジ支持体１０としての支持体１０を有するクレーンブリッジ３３の長手方向断面を示す。クレーンブリッジ３３は、ブリッジクレーン３４に属し、このブリッジクレーン３４を図４において極めて概略的な方法で例示する。図示されたブリッジクレーン３４は、単一桁のブリッジクレーンである。単一桁のブリッジクレーン用の図示されたクレーンブリッジ３３は、本発明の支持体１０をブリッジ支持体１０として含む。ブリッジ支持体１０は、鋼またはアルミニウムの２つのキャリッジ３５の間に取り付けられ、そこに固定される。ダブルガーダブリッジクレーンの場合、本発明の２つのブリッジ支持体１０は、キャリッジ３５の間に互いに隣接して配置され、これらに固定される。ブリッジ支持体１０は、ブリッジクレーン３４の作業空間に架け渡されている。車輪（図示せず）がキャリッジ３５上に配置され、前記車輪は、クレーン軌道３６上において、ブリッジ支持体１０及びキャリッジ３５を含むクレーンブリッジ３３を移動させることを可能にする。クレーン３４のトロリー３７は、下部弦材１１の平坦部３０上に移動可能に保持され得る。
【手続補正１６】
【補正対象書類名】明細書
【補正対象項目名】００６７
【補正方法】変更
【補正の内容】
【００６７】
ブリッジ支持体１０は、２つのクレーン軌道３６を介して基礎に対して外部から支持される。ブリッジクレーン３４の一例の図面は、本発明の装置３４において、列１３の少なくとも２つまたは少なくとも３つの連続して配置されたセグメント１５が、列１３を通って延在する張力要素１４による列１３の全てのセグメント１５の相互の固定によって、及びもしあれば、例えばポジティブロック要素３２によって形成されるポジティブロックに基づいて、基礎に対して支持体１０の２つの外部支持体の間に形成される空間に跨り、２つの外部支持体の間に、基礎に対して少なくとも２つまたは少なくとも３つの連続して配置されたセグメント１５の追加の外部支持体、特に少なくとも２つまたは少なくとも３つのセグメント１５の３つの隣接する端部２８ａ、ｂの追加の外部支持体を必要とせず、または存在してもよいことを示す。これは、トラス支持体として構成された本発明の支持体１０を有する本発明の装置３４と、本発明に従って設計されたセグメント１５に分割されたボックス桁支持体として構成された支持体を有する装置とに等しく当てはまる。本発明のブリッジまたはサインガントリを参照すると、列１３の少なくとも２つまたは少なくとも３つのセグメント１５の連続した配置は、ブリッジパネルの一端から他端まで延在してよい。例えば、少なくとも３つの連続的に配置されたセグメント１５の場合、中央のセグメント１５は、隣接するセグメント１５間に固定されることによりクランプされ、これにより、２つの隣接するセグメント１５間のポジティブロックにより、中央セグメントの隣接する端部２８ａ、ｂ及び基礎に対する隣接するセグメント１５の一方または両方の外部支持なしに、スパンされた空間上に保持され得る。
【手続補正１７】
【補正対象書類名】明細書
【補正対象項目名】００６８
【補正方法】変更
【補正の内容】
【００６８】
図１による例示的な実施形態とは異なり、下部弦材１１の張力要素１４は、セグメント１５の列１３の端部２５ａ、ｂに配置されたキャリッジ３５に固定されている。張力要素１４は、キャリッジ３５の壁３８に対して、またはアンカー要素２７ａ、ｂとキャリッジ３５の壁３８との間に配置された中間要素３９に対して、それぞれ内側からキャリッジ３５内に配置されたヘッド２７ａ及びナット２７ｂを有する実施例によるそれらのアンカー要素２７ａ、ｂでそれ自体を支える。この結果、キャリッジ３５は列１３の端部２５ａ、ｂに押圧される。例示的な実施形態では、キャリッジ３５は、それ自体、末端カバー要素２３に支持される。あるいは、例えば、キャリッジ３５は、キャリッジ３５と隣接する外側のセグメント１５の端部側２４との間にそれぞれクランプされた外側のトラス要素１８の端部セクション２０に対してそれ自体を支持し得る。他には、キャリッジ３５は、例えば列１３の外側のセグメント１５の端部側２４に対して、それ自体を支えることができる。例示的な実施形態では、支持体１０は、下部弦材１１の張力要素１４によってキャリッジ３５に固定される。これにより、クレーンブリッジ３３の組み立てが特に容易になる。クレーンブリッジ３３は、上述した例示的な方法と同様に組み立てることができ、下部弦材１１の張力要素１４は、キャリッジ３５の壁３８を貫通する。
【手続補正１８】
【補正対象書類名】明細書
【補正対象項目名】００７２
【補正方法】変更
【補正の内容】
【００７２】
図６は、支持体の下部弦材１１のセグメント１５の列と、支持体１０の例示的な実施形態の上部弦材１２のセグメント１５の列１３とを通る長手方向断面を示す。支持体１０は、下部弦材１１内の少なくとも２つの隣接する列１３と、上部弦材１２内の少なくとも
２つの隣接する列１３とを含む。支持体１０は、少なくとも１つの長さ適合部分４１を有し、この長さ適合部分４１は、トラス要素１８として２つの板金要素４２を有し、これらの板金要素４２は、列方向Ｒに対して横方向に、例えば、垂直に延在し、垂直な板金要素４２は、プリテンションが付与された張力要素１４によって、下部弦材１１のセグメント１５と上部弦材１２のセグメント１５との間にクランプされる。垂直な板金要素４２の間には、下部弦材１１と上部弦材１２に、所望の長さの支持体１０を提供するように長さが適合されたセグメント１５が配置されている。長さ適合部分に隣接するセグメント１５も、それぞれ適合された長さを有する。安定化のために、安定化要素４３が、垂直な板金要素４２の間に配置され、前記安定化要素は、張力要素１４に沿って延在し、例えば、溶接またはヒンジ留めによって、垂直な板金要素４２に固定される。それ以外は、図１に関する説明が同様に適用される。
【手続補正１９】
【補正対象書類名】明細書
【補正対象項目名】００７５
【補正方法】変更
【補正の内容】
【００７５】
本発明の支持体１０のポジティブロック要素３２の各々は、複数の部品から構成することができる。例えば、図８は、例えば説明した実施形態の１つで使用することができるように、下部弦材１１及び／または上部弦材１２の２つの隣接するセグメント１５間にポジティブロックを提供するための複数部品のポジティブロック要素３２を示す。ポジティブロック要素３２は、隣接するセグメント１５の一方の一端２８ａ上のセクションに、好ましくは精密嵌合で配置される第１の部分４４と、隣接するセグメント１５の他方の隣接する端部２８ｂのセクションに、好ましくは精密嵌合で配置される第２の部分４５とを含む。さらに、ポジティブロック要素３２は、第１の部分４４及び第２の部分４５のそれぞれ１つのレセプタクル４７ａ、ｂに、好ましくは精密嵌合で配置される第３の部分４６を備える。張力要素１４は、第３の部分４６を通って延びている。第１の部分４４、第２の部分４５及び第３の部分４６は、例えば、アルミニウムまたは鋼から構成することができる。第１の部分４４、第２の部分４５、及び第３の部分４６は、隣接するセグメント１５間に、互いに長手方向にプリテンションが付与された１つまたは複数の張力要素１４によるクランプ力の方向に対して横方向のポジティブロックを介在させる。第３の部分４６は、外側の幅及び／または高さが、第１及び第２の部分の外側の幅及び／または高さ（隣接するセグメント１５の長さ方向に対して横断方向または列方向Ｒに対して横断方向の幅及び／または高さ）よりも小さい。第３の部分４６は、トラス要素１８の端部セクション２０の凹部４８に、好ましくは精密嵌合で配置される。第１の部分４４のレセプタクル４７ａと端部セクション２０の凹部４８と第２の部分４５のレセプタクル４７ｂとを通って延びる第３の部分４６は、端部セクション２０間のクランプ力の方向を横切る方向に、且つ端部セクション２０と隣接するセグメント１５との間の第１の部分４４と第２の部分４５とを介して、ポジティブロックを伝える。ポジティブロック要素３２の複数部品の実施形態は、ポジティブロック要素３２、ここではポジティブロック要素３２の第３の部品４６を受け入れるために、端部セクション２０に比較的小さな凹部４８しか必要としない。セグメント１５の端部２８ａ、２８ｂ上の１または複数の張力要素１４は、クランプ力に対して横断するポジティブロック要素を形成しない。第１の部分４４及び第２の部分４５における第３の部分４６の配置、セグメント１５における第１の部分４４の配置、及びセグメント１５における第１の部分４４及びセグメント１５における第２の部分４５の配置は、端部２８ａ、２８ｂにおけるクランプ力を横切る力が１つまたは複数の張力要素１４に及ぼされるように、セグメント１５の相互のずれ、またはクランプ力を横切る方向における端部セクション２０の相互のずれがないように設定される。第１の部分４４及び第２の部分４５の外側寸法は、端部２８ａ、２８ｂにおけるセグメント１５の内側寸法に適切に適合され、第３の部分４６の外側寸法は、端部セクション２０における凹部４８の内側寸法、及び第１の部分４４及び第２の部分４５におけるレセプタクル４７ａ、４７ｂの内側寸法に適切に適合される。隣接するセグメント１５の隣接する端部２８ａ、２８ｂにおいて、１つまたは複数の張力要素１４は、ポジティブロック要素３２の単一部品または複数部品の設計とは無関係に、列１３のポジティブロック要素３２から少なくとも最小限の距離にあることが好ましい。支持体１０の組立中にポジティブロック接続を形成するために、例えば、第１の部分４４は、セグメント１５の端部２８ａの部分に差し込まれる。次に、例えば、トラス要素１８をセグメント１５の端部２８ａに配置し、第３の部分４６をトラス要素１８の端部セクション２０の凹部４８及び第１の部分４４のレセプタクル４７ａに差し込む。次に、追加のトラス要素１８の端部セクション２０を第３の部分４６上に押し込むことができる。最後に、例えば、第２の部分４５が第３の部分４６に押圧され、隣接するセグメント１５が第２の部分４５に押圧される。あるいは、例えば、終端２８ｂから開始することも可能である。第１の部分４４、第２の部分４５、及び／または第３の部分４６は、第１の部分４４、第２の部分４５、及び／または第３の部分４６を、特に組み立て中に、列方向Ｒに固定するために、固定手段（図示せず）と関連付けることができ、複数部分からなるポジティブロック要素３２は、組み立て中に、位置決め補助要素３２として使用される。
【手続補正２０】
【補正対象書類名】明細書
【補正対象項目名】００７８
【補正方法】変更
【補正の内容】
【００７８】
１０    支持体
１１    下部弦材
１２    上部弦材
１３    列
１４    張力要素
１５    セグメント
１５ａ  底部
１５ｂ  側壁
１５ｃ  蓋部
１６ａ、１６ｂ  下部弦材の端部
１７ａ、１７ｂ  上部弦材の端部
１８    トラス要素
１９    トラス要素部分
２０    端部セクション
２１ａ。２１ｂ  支持体の端部
２２    スタック
２３    末端カバー要素
２４    端部側
２５ａ、２５ｂ  列の端部
２６    引張り棒（ロッド）
２７ａ、２７ｂ  アンカー要素
２７ａ  ヘッド
２７ｂ  ナット
２８ａ、２８ｂ  セグメント１５の隣接する端部
２９    Ｕ形梁
３０    平坦部
３１    長方形梁
３２    位置決め補助要素
３３    クレーンブリッジ
３４    ブリッジクレーン
３５    キャリッジ
３６    クレーン軌道
３７    トロリー
３８    壁
３９    中間要素
４０    ターンバックル
４１    長さ適合部分
４２    板金要素
４３    安定化要素
４４    第１の部分
４５    第２の部分
４６    第３の部分
４７ａ、４７ｂ  レセプタクル
４８    凹部
Ｌ      セグメント長
Ａ      作業空間
Ｈ      水平
Ｒ      列方向
【手続補正２１】
【補正対象書類名】特許請求の範囲
【補正対象項目名】全文
【補正方法】変更
【補正の内容】
【特許請求の範囲】
【請求項１】
少なくとも２つの連続して配置されたセグメント（１５）の1つの列（１３）を有する支持体（１０）であって、
列（１３）のセグメント（１５）は、支持体（１０）の内側に延在する張力要素（１４）によって相互に支持され、
張力要素（１４）は、列（１３）のセグメント（１５）を相互に固定するために、セグメント（１５）の列（１３）の対向する端部（２５ａ、ｂ）に固定される
支持体（１０）。
【請求項２】
前記列（１３）の２つの隣接するセグメント（１５）の間には、隣接するセグメント（１５）を互いに接続するための一体的に結合された接続、特に溶接接続及び／またはねじ接続がない、請求項１に記載の支持体（１０）。
【請求項３】
前記張力要素（１４）は、前記列（１３）を貫通して延在する、請求項１または２に記載の支持体（１０）。
【請求項４】
セグメント（１５）の少なくとも１つの列（１３）は、支持体（１０）の１つの端部（２１ａ）から支持体（１０）の反対側の端部（２１ｂ）まで延在する、請求項１〜３のいずれか１項に記載の支持体（１０）。
【請求項５】
張力要素（１４）は、セグメント（１５）の列（１３）の外側において、列（１３）の一端（２５）または列（１３）の両端（２５ａ、ｂ）に固定される、請求項１〜４のいずれか１項に記載の支持体（１０）。
【請求項６】
前記セグメント（１５）の長さ（Ｌ）は、最大１．２メートルである、請求項１〜５のいずれか１項に記載の支持体（１０）。
【請求項７】
前記張力要素（１４）は、少なくとも２つの張力要素セグメントから構成される、請求項１〜６のいずれか１項に記載の支持体（１０）。
【請求項８】
セグメント（１５）は、底部（１５ａ）、蓋部（１５ｃ）及び列方向（Ｒ）に延在する2つの側壁（１５ｂ）を有する、請求項１〜７のいずれか１項に記載の支持体（１０）。
【請求項９】
前記支持体（１０）は、トラスガーダである、請求項１〜８のいずれか１項に記載の支持体（１０）。
【請求項１０】
前記支持体（１０）は、前記支持体（１０）の下部弦材（１１）においてセグメント（１５）が少なくとも１つの列（１３）を含み、且つ／または前記支持体（１０）の上部弦材（１２）においてセグメント（１５）が少なくとも１つの列（１３）を含む、請求項９に記載の支持体（１０）。
【請求項１１】
前記下部弦材（１１）と前記上部弦材（１２）との間に、垂直に対して傾斜して延在するトラス要素（１８）及び／または垂直なトラス要素（１８）が配置され、トラス要素（１８）の少なくとも１つの端部セクション（２０）が隣接するセグメント（１５）の間に保持される、請求項９または１０に記載の支持体（１０）。
【請求項１２】
請求項１〜１１のいずれか１項に記載の少なくとも１つの支持体（１０）を有する装置（３３、３４）。
【請求項１３】
前記装置（３３、３４）は、支持体（１０）の一端（２１ａ、ｂ）に配置された少なくとも１つのキャリッジ（３５）を含み、張力要素（１４）が前記キャリッジ（３５）に固定され、これによって前記キャリッジ（３５）が、列（１３）のセグメント（１５）に対して固定され、張力要素（１４）によって支持体（１０）に固定されている請求項１２に記載の装置（３３、３４）。
【請求項１４】
請求項１〜１１のいずれか１項に記載の支持体（１０）を提供する方法であって、
セグメント（１５）及び張力要素（１４）を使用される場所の建設現場に設けるステップと、
設けられたセグメント（１５）を列（１３）を形成するように配置するステップと、
列（１３）に配置されたセグメント（１５）を、張力要素（１４）によって相互に固定するステップと、
を含む方法。
【国際調査報告】
2020508947.tif 000011
2020508947.tif 000012
2020508947.tif 000013
2020508947.tif 000014